(57)【要約】【課題】  イベント参加候補者がセミナー予告内容に対して考える経済価値を反映したセミナー参加費用を設定できるイベントチケットオークション方法を提供する。【解決手段】  セミナー参加申請者が提示した入札価格を基にしたオークションによって参加者、並びにセミナー費用が決まるため、そのセミナーに高い経済的価値を感じる参加申請者を優先的に発券できる。セミナーの参加者が、参加料金をオークションで競り上げていき、上位者のみが参加できる。ネット上にリアルタイムで、上位者全員分の料金をオープンにしていく。名前や経歴もオープンにしていっても構わない人は、オープンにする（参加者名や、参加者の経歴などで参加を決める人もいる）。【選択図】図７
2014109915.tif 000002
【特許請求の範囲】
【請求項１】
コンピュータがイベント参加のオークション処理を行うイベントオークション方法であって、
イベント応募者の属性と、入札金額を受け付ける第１の工程と、
入札金額順にイベント応募者のリストを画面表示する第２の工程と、
入札期間が経過すると、入札金額の高い順から応募者を特定し、当該応募者にイベント参加を許諾する第３の工程と
を有するイベントチケットオークション方法。
【請求項２】
コンピュータがイベント参加のオークション処理を行うイベントオークション装置であって、
イベント応募者の属性と、入札金額を受け付ける受付手段と、
入札金額順にイベント応募者のリストを画面表示する表示手段と、
入札期間が経過すると、入札金額の高い順から応募者を特定し、当該応募者にイベント参加を許諾する処理手段と
を有するイベントチケットオークション装置。
【発明の詳細な説明】
【技術分野】
【０００１】
本発明は、セミナー等のイベントの参加者をオークションによって決定するイベントオークション方法とその装置に関するものである。
【背景技術】
【０００２】
通常、セミナー等のイベントは、事前に参加費と参加条件が決められており、基本的に先着順に応募を受け付ける。このとき、参加費は、イベントの内容等を考慮して事前に決定される。
【発明の概要】
【発明が解決しようとする課題】
【０００３】
しかしながら、従来の手法では、イベントの主催者側が予測したイベントの価値と、イベント参加候補者が考えるイベントの価値とを一致させることが難しいという問題がある。
そのため、設定価格が高すぎて定員に満たない場合や、設定価格が低すぎてしまう場合がある。また、セミナー応募者が考えるセミナー参加の経済価値は、参加者によって異なることが多いが、そのような点は考慮されていない。
【０００４】
本発明は、上述した従来技術の問題点に鑑みてなされ、イベント参加候補者がセミナー予告内容に対して考える経済価値を反映したセミナー参加費用を設定できるイベントチケットオークション方法およびその装置を提供することを目的とする。
また、イベント参加候補者のセミナー参加へのインセンティブを高めることができるイベントチケットオークション方法およびその装置を提供することを目的とする。
【課題を解決するための手段】
【０００５】
本発明のイベントチケットオークション方法は、コンピュータがイベント参加のオークション処理を行うイベントオークション方法であって、イベント応募者の属性と、入札金額を受け付ける第１の工程と、入札金額順にイベント応募者のリストを画面表示する第２の工程と、入札期間が経過すると、入札金額の高い順から応募者を特定し、当該応募者にイベント参加を許諾する第３の工程とを有する。
【０００６】
本発明のイベントチケットオークション装置は、コンピュータがイベント参加のオークション処理を行うイベントオークション装置であって、イベント応募者の属性と、入札金額を受け付ける受付手段と、入札金額順にイベント応募者のリストを画面表示する表示手段と、入札期間が経過すると、入札金額の高い順から応募者を特定し、当該応募者にイベント参加を許諾する処理手段とを有する。
【発明の効果】
【０００７】
本発明によれば、イベント参加候補者がセミナー予告内容に対して考える経済価値を反映したセミナー参加費用を設定できるイベントチケットオークション方法およびその装置を提供することができる。
【図面の簡単な説明】
【０００８】
【図１】図１は、本発明の実施形態に係るセミナーオークション処理システムの概念図である。
【図２】図２は、図１に示すセミナー参加申請者端末装置の機能ブロック図である。
【図３】図３は、図１に示すセミナーオークションサーバの機能ブロック図である。
【図４】図４は、図１に示すセミナーオークション処理システムの処理を説明するためのフローチャートである。
【図５】図５は、セミナー告知情報を説明するための図である。
【図６】図６は、セミナー参加申請者が入力する情報を説明するための図である。
【図７】図７は、セミナーオークションの途中経過の表示画面を説明するための図である。
【発明を実施するための形態】
【０００９】
以下、本発明の実施形態に係るセミナーオークション処理システムについて説明する。
図１は、本発明の実施形態に係るセミナーオークション処理システム１の概念図である。
図２は、図１に示すセミナー参加申請者端末装置１１の機能ブロック図である。
図１に示すようにセミナーオークション処理システム１は、ネットワーク９を介して、セミナー参加申請者端末装置１１と、セミナーオークションサーバ１３とが通信を行って処理を行う。
【００１０】
セミナー参加申請者端末装置１１は、セミナー参加申請者（入札者）が使用するスマートフォン、携帯電話等である。
セミナーオークションサーバ１３は、セミナー主催者が使用するパーソナルコンピュータや、サーバである。
【００１１】
［セミナー参加申請者端末装置１１］
図２は、図１に示すセミナー参加申請者端末装置１１の機能ブロック図である。
チケット購入者携帯型端末装置１１は、図３に示すように、例えば、通信部２１、ディスプレイ２２、操作部２３、メモリ２４および処理回路２５を有し、これらがデータ線２０を介して接続されている。
【００１２】
通信部２１は、例えば、図２に示すサーバ１５と通信を行うために用いられる。
ディスプレイ２２は、処理回路２５が実行するプログラムＰＲＧが提供する様々な画面を表示する。
【００１３】
操作部２３は、ディスプレイ２２のタッチパネル機能、キーボードやマウス等の操作手段である。
メモリ２４は、処理回路２５が実行するプログラムＰＲＧ、処理回路２５の処理に用いられるデータを一時的に記憶する。
【００１４】
［セミナーオークションサーバ１３］
図３は、図１に示すセミナーオークションサーバ１３の機能ブロック図である。
セミナーオークションサーバ１３は、図３に示すように、例えば、通信部１２１、ディスプレイ１２２、操作部１２３、メモリ１２４、処理回路１２５およびデータベース１２７を有し、これらがデータ線１２０を介して接続されている。
【００１５】
通信部１２１は、例えば、図１に示すセミナー参加申請者端末装置１１と通信を行うために用いられる。
ディスプレイ１２２は、処理回路１２５が実行するプログラムが提供する様々な画面を表示する。
【００１６】
操作部１２３は、ディスプレイ１２２のタッチパネル機能、キーボードやマウス等の操作手段である。
メモリ１２４は、処理回路１２５が実行するプログラム、処理回路２５の処理に用いられるデータを一時的に記憶する。
処理回路１２５は、プログラムを実行して、セミナーオークションサーバ１３のセミナーオークション処理を統括的に制御する。
【００１７】
以下、セミナーオークション処理システム１の動作例を説明する。
図４は、図１に示すセミナーオークション処理システム１の動作例を説明するためのフローチャートである。
以下、各ステップを説明する。
【００１８】
ステップＳＴ１：
セミナー参加申請者は、例えば、Ｗｅｂ上のセミナー告知を見て興味があるセミナーを特定し、セミナー参加申請者端末装置１１の操作部２３を操作して、セミナー参加申請操作を行う。
セミナー告知は、例えば、図５に示すような告知画面をセミナー参加申請者端末装置１１のディスプレイ２２に表示する。
セミナー参加申請者は、セミナー参加申請操作により、図６に示す情報を入力する。
当該入力された情報は、図２に示す通信部２１を介して図３に示すセミナーオークションサーバ１３に送信される。
【００１９】
ステップＳＴ２：
図３に示すセミナーオークションサーバ１３の処理回路１２５は、ステップＳＴ１１で通信部１２１を介してセミナー参加申請者端末装置１１から受信した図６に示す参加申請者情報を入札価格を基にソートする。
【００２０】
ステップＳＴ３：
処理回路１２５は、ステップＳＴ２でソートした参加申請者情報のうち、予め決められた数（例えば、セミナーの定員数分）の上位の入札価格を提示した参加申請者情報を抽出する。
【００２１】
ステップＳＴ４：
処理回路１２５は、ステップＳＴ３で抽出した参加申請者情報を表示する処理を行う。これにより、例えば図７に示す画面が表示される。
ここで、図７に示す「申し込み件数」の“延べ”は、数回申し込みをする人がいるためである。例：３０位の人は１回目1,000円、2回目3,000円、3回目5,000円を入札価格として指定した。
このように応募者の属性を表示することで、その応募者に興味がある者に参加申請させる動機づけを与えることができる。
【００２２】
ステップＳＴ５：
処理回路１２５は、オークション終了条件が満たされたか否かを判断し、肯定判定の場合にステップＳＴ６に進み、否定判定の場合にステップＳＴ１に戻る。
【００２３】
ステップＳＴ６：
処理回路１２５は、オークション終了処理を行う。
すなわち、処理回路１２５は、入札価格が上位から定員数分の参加申請者を、オークション落札者として決定し、その結果を公表する。そして、落札者にセミナー費用の振り込みを要請し、振り込みが確認された落札者にセミナー参加証を発行する。
ここで、入札価格が同じ複数の参加申請者があった場合には、先に応募した参加申請者を優先する。
【００２４】
以上説明したように、セミナーオークション処理システム１によれば、セミナー参加申請者が提示した入札価格を基にしたオークションによって参加者、並びにセミナー費用が決まるため、そのセミナーに高い経済的価値を感じる参加申請者を優先的にセミナーに参加させることができる。また、セミナー主催者は、そのセミナーの価値に応じた最大の売り上げを得ることが可能になる。
【００２５】
また、セミナーオークション処理システム１を用いて発券したセミナーは、講師のセミナーの後に参加者同士の交流時間を設け、参加者同士が名刺交換できるようにしてもよい。
なお、図７に示すように、セミナー告知において参加申請者（入札者）の情報を公開することで、セミナー講師だけでなく、セミナー参加者と名刺交換することも、セミナー参加へのインセンティブになる。
【００２６】
また、セミナー参加者が、セミナー内容に不満があった場合に、支払ったセミナ―参加費用を返金したり、その何倍かの金額を返金するようにしてもよい。これにより、講師が、セミナー内容をより優れたものにしようとする意識を高めることができる。
【００２７】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
上述した実施形態では、イベントとしてセミナーを例示したが、セミナー以外のライブ等のイベントであってもよい。
【産業上の利用可能性】
【００２８】
本発明は、セミナー参加者募集処理を行うシステムに適用可能である。
【符号の説明】
【００２９】
１…セミナーオークション処理システム
９…ネットワーク
１１…セミナー参加申請者端末装置
１３…セミナーオークションサーバ
【図１】
2014109915.tif 000003
【図２】
2014109915.tif 000004
【図３】
2014109915.tif 000005
【図４】
2014109915.tif 000006
【図５】
2014109915.tif 000007
【図６】
2014109915.tif 000008
【図７】
2014109915.tif 000009